(57)【要約】      （修正有）【課題】コンビニエンスストアや駅の構内等に設置し、自分の意見を書いたチラシを配布し、その意見を受けたり、店の経営者がその店の品物を宣伝あるいは展示し、その注文を受けたりする、利用者と通行人の利便性を考慮した貸出用多目的コインロッカーの提供。【解決手段】開口部にドアを付けた略直方体の収納箱の上部に、自在に内容物を取出せる引出６と、その引出６の下方に書類又は小包の受入専用口７とを設け、更に、ドア５の回転軸の反対側にマスターキー用孔２、利用者用キー孔３、コイン投入口４１、コイン返却口４２を付設した多目的収納箱を単数又は複数段重ね、最下部には、貸出者のために、コインを収納・回収する鍵付きの集金箱８を設けた。【選択図】図４
0003199502.tif 000002
【実用新案登録請求の範囲】
【請求項１】
開口部にドアを付けた略直方体の収納箱の上部に、自在に内容物を取出せる引出と、その引出の下方に書類又は小包の受入専用口とを設け、更に、ドアの回転軸の反対側にマスターキー用孔、利用者用キー孔、コイン投入口、コイン返却口を付けた多目的収納箱を単数又は複数重ね、最下段には、貸出者のために、利用者の払ったコインを保管する鍵付きの集金箱を設けた貸出用多目的コインロッカー。
【請求項２】
収納箱に間仕切を設けることができる請求項１の貸出用多目的コインロッカー。
【請求項３】
引出の正面部又は全体を透明とした請求項１又は請求項２のいずれかの貸出用多目的コインロッカー。
【請求項４】
透明のドアを付けた請求項１から請求項３のいずれかの貸出用多目的コインロッカー。
【請求項５】
内部にタイマーをセットし、所定時間内であれば回数を問わずドアを開閉でき、所定時間を経過した場合には、追加コインを投入しなければ開くことができないようにする請求項１から請求項４のいずれかの貸出用多目的コインロッカー。
【請求項６】
多目的収納箱を縦方向に複数個重ね、横方向に複数個並べ、縦方向の最下段には集金箱を設けた請求項１から請求項５のいずれかの貸出用多目的コインロッカー。
【考案の詳細な説明】
【技術分野】
【０００１】
本考案は、チラシ、カタログ等を配布し、その意見等を受理し、さらに商品等の展示もできる貸出用多目的コインロッカーである。
【背景技術】
【０００２】
本考案者は、農業の傍らリサイクル品の紹介業や古美術商等を運営してきた。地方に居住しているため、人と人の交流、あるいは物の人との交換等に感心を寄せてきた。
本考案は、こうした環境下、考案者の利益も考慮しつつ、考え着いた考案である。
すなわち、図書館、コンビニエンスストア、駅の構内等に設置し、自分の意見を書いたチラシや詩集を配布し、その意見を聞いたり、店の経営者がその店の品物を宣伝あるいは展示し、その注文を受けたりする等して利用できると共に、通行人の利便性をも目的とした貸出用多目的コインロッカーである。
【０００３】
上記のような、貸出用多目的コインロッカーとしての先行技術を検索したが、関連性のある特許文献等は見当たらない。多少でも関連性がある特許文献としては、以下のようなものがあった。
【０００４】
例えば、複数のロッカーと、利用者が物品の取次サービス等を選択指定する操作、及び業者側要員が取次サービスのために物品の回収及び納品を行うことを告知する操作を実行するとともに、それらの操作に伴って必要となる表示を行うための操作画面と、取次サービスに必要な帳票類を印刷するためのプリンターと、帳票等の記載内容を装置正面側から読み取るためのコード読取機と、コイン及び紙幣入り口を有する金銭領収機と、取次ぎサービスにおいて必要な時に該当するロッカーの解錠及び施錠を個々に制御する施解錠制御手段と、を備えた操作容易な多目的取次用ロッカーシステム（特許文献１）がある。
【０００５】
また、コインロッカーの複数の各操作部に、投入された硬貨を検知する硬貨検知手段を設け、各操作部に投入された硬貨を下方に送り込む硬貨通路を設ける。コインロッカーの底部に、硬貨通路を通じて送り込まれる硬貨を１箇所に回収する硬貨回収手段を設け、硬貨通路には、該硬貨通路を開閉するシャッタ部材を設ける。シャッタ部材を硬貨回収時に閉鎖位置へ移動させるとともに非硬貨回収時に開放位置へ移動させるシャッタ開閉機構を設け、各硬貨検知手段による検知結果を集計、記憶する集計記憶手段を設ける。集計記憶手段は、硬貨回収時にシャッタ部材が閉鎖位置へ移動されるまでに集計された集計値を回収値として記憶する回収される硬貨の枚数や金額などの回収値を正確に把握可能とするコインロッカー（特許文献２）がある。
【０００６】
更に、入金により金額情報とＩＤ情報とを記録したカードをカード発行装置で発行し、カードを錠制御装置に挿入してロッカーを利用し、ロッカーが空き状態のときはカードの金額の残高が基本料金以上のときロッカーを解錠してカードのＩＤ情報を記憶し、ロッカーが使用状態のときはカードのＩＤ情報と記憶しているＩＤ情報とが一致し、かつ、カードの残高が使用料金以上のとき解錠してカードの残高を書き換える、鍵を携帯する必要がないなど使い勝手を良くし、料金を一箇所で回収できるなど管理をしやすくする貸しロッカー（特許文献３）がある。
【先行技術文献】
【特許文献】
【０００７】
【特許文献１】特願２００３−１０２００６号公報
【特許文献２】特願平６−２１９０３４号公報
【特許文献３】特開平５−２１４８５７号公報
【考案の概要】
【考案が解決しようとする課題】
【０００８】
本考案の課題は、単なる貸出用のコインロッカーではなく、チラシやカタログ等の配布、それらの意見を聞くための投書箱等を兼ねた貸出用の多目的のコインロッカーを提供するものである。
【課題を解決するための手段】
【０００９】
すなわち、第１考案は、開口部にドアを付けた略直方体の収納箱の上部に、自在に内容物を取出せる引出と、その引出の下方に書類又は小包の受入専用口とを設け、更に、ドアの回転軸の反対側にマスターキー用孔、利用者用キー孔、コイン投入口、コイン返却口を付けた多目的収納箱を単数又は複数重ね、最下段には、貸出者のために、利用者の払ったコインを保管する鍵付きの集金箱を設けた貸出用多目的コインロッカーである。
【００１０】
直方体とは、すべての面が長方形で構成される六面体であり、立方体も含まれる。略としたのは。直方体を構成する面と面との交点で作られる角は、加工により丸みを帯びている場合もあることを表現するものである。
収納箱は、枠と面は金属で構成され、正面は開口され、枠の上下方向に沿って、回転可能にドアが付けられている。
【００１１】
利用者とは、コインを投入し、貸出用多目的コインロッカーを利用する者であり、貸出者とは、貸出用多目的コインロッカーの所有者であり、許可を得て、所定の敷地に貸出用多目的コインロッカーを設置するものである。
【００１２】
その収納箱の上部には、自在に内容物を取出せる引出を設ける。引出には、利用者が準備した、チラシ、カタログ、詩集等が置かれ、関心のある通行人がこれらを自在に取出すことができる。また、アンケート用紙を置き、その返事を受入専用口に投入することもできる。また、受入専用口は、仮設郵便受としての使用も考えられる。
【００１３】
受入専用口は、内部が風雨にさらされず、外部から物が取り出せないように、外側から押した場合には内側に開くが、外側には開かない構造とする蓋が付けられる。
【００１４】
収納箱の開口部には、枠の上下方向に沿って、ヒンジ等により回転可能にドアを取り付ける。このドアの回転軸の反対側にマスターキー用孔、利用者用キー孔、コイン投入口、コイン返却口を付ける。例えば、収納箱の左側の枠にドアの回転軸が付けられていれば、その反対側の収納箱の右側の枠に、マスターキー用孔、利用者用キー、コイン投入口、コイン返却口を付けることになる。ヒンジ等により回転可能にドアを取り付けるとしたが、ドアを回転可能に取り付けることができれば足り、方法は問わない。
【００１５】
開口部にドアを付けた略直方体の収納箱の上部に、自在に内容物を取出せる引出と、その引出の下方に書類又は小包の受入専用口とを設け、更に、ドアの回転軸の反対側にマスターキー用孔、利用者用キー孔、コイン投入口、コイン返却口を付けたものを、多目的収納箱とし、これを単数又は上下に複数重ね、更にその下に貸出者のために、利用者の払ったコインを保管する鍵付きの集金箱を設ける。集金箱には鍵が付けられ、貸出者は、定期的に貸出用多目的コインロッカーの集金箱を開け、コインを回収する。
【００１６】
利用者は、コイン投入口から所定の使用料金を投入する。次にドアを開き、収納箱に荷物等を入れ、利用者キーにより鍵を掛ける。その時に、コインは金庫箱に落下する。利用者がコイン投入口にコインを投下したが、気が変わり利用しないときには、所定時間後、コインはコイン返却口に回り、利用者に戻される。所定時間とは、利用者の待ち時間も考慮し、目安として１０秒くらいの短時間であるが、この時間に限定するものではない。
【００１７】
続いて、第２考案は、収納箱に間仕切を設けることができる第１考案の貸出用多目的コインロッカーである。
【００１８】
収納箱には、利用者が自分の荷物を入れるだけでなく、前述のように、利用者以外の人が、受入専用口からアンケート用紙、あるいは小包を投入する場合もある。そのため、軽いものは、収納箱の上方に、重いものは収納箱の下方に置く方が使いやすい場合がある。そこで、収納箱の内部を間仕切する板を設け、必要な場合には、この板で間仕切し、不用な場合には、板は収納箱に放置しておくものである。板は収納箱の相対する垂直内面に水平に間仕切板を載せる台を付け、そこに間仕切り用の板を載せる方法も考えられるが、方法は問わない。
【００１９】
続いて、第３考案は、引出の正面部又は全体を透明とした第１考案又は第２考案のいずれかの貸出用多目的コインロッカーである。
【００２０】
収納箱上部には、自在に内容物を取出せる引出が設けられている。この引出には、利用者が準備したチラシやカタログあるいは詩集等が置かれ、通行人はこれらを自在に取出せるようにする。そのため、引出にはどのようなものが入っているか通行人に見えるようにしておくことも必要である。また、後述するが、ドアも透明にして収納箱内の展示物を通行人に見てもらう場合もある。そこで、引出の正面又は引出全体を透明にして通行人の注意を引くようにするものである。
【００２１】
続いて、第４考案は、透明のドアを付けた第１考案から第３考案のいずれかの貸出用多目的コインロッカーである。
【００２２】
収納箱は、単に荷物を保管するだけの目的ではなく、小さな展示室として利用することも考えられる。そこで、ドアを透明にし、収納箱に展示している商品等を通行人が見えるようにしておくことも必要である。そこで、ドアを透明にするものである。
【００２３】
続いて、第５考案は、内部にタイマーをセットし、所定時間内であれば回数を問わずドアを開閉でき、所定時間を経過した場合には、追加コインを投入しなければ開くことができないようにする第１考案から第４考案のいずれかの貸出用多目的コインロッカーである。
【００２４】
本考案の貸出用多目的コインロッカーは、荷物の保管だけでなく、小さな展示室としても使用できるものであり、ドアを１回開閉するごとにコインを投入することは利用者にとっては不都合である。そこで、使用し始めてから所定時間内は、コインを投入することなく、繰返しドアの開閉をすることができるようにするものである。例えば、コインを投入し、鍵を掛けたときからタイマーが作動し、所定時間内ではドアの開閉が自在であり、所定時間を経過した後は、再度コインを投下してドアを開き、継続使用する場合には、更にコインを投下するものである。
【００２５】
続いて、第６考案は、多目的収納箱を縦方向に複数個重ね、横方向に複数個並べ、縦方向の最下段には集金箱を設けた第１考案から第５考案のいずれかの貸出用多目的コインロッカーである。
【００２６】
第１考案から第５考案までは、多目的収納箱を単数又は複数上下に重ね、最下部に集金室を設けた貸出用多目的コインロッカーである。すなわち上下１列にした貸出用多目的コインロッカーである。第６考案では、上下１列にした貸出用多目的コインロッカーを、更に複数横に並べた貸出用多目的コインロッカーとするものである。
【考案の効果】
【００２７】
第１考案は、荷物の保管だけでなく、チラシや詩集等の配布、アンケート等の回収、商品の展示等多目的に使用できる貸出用多目的コインロッカーを提供するものである。第２考案から第５考案は、貸出用多目的コインロッカーの利用者の利便性を向上させるものであり、第６考案は貸出者、利用者のため、複数の多目的収納箱を一体化した貸出用多目的コインロッカーを提供するものである。
【図面の簡単な説明】
【００２８】
【図１】図１は、貸出用多目的コインロッカーの正面概略図である。
【図２】図２は、貸出用多目的コインロッカーのドアを開いたときの斜視概略図である。
【図３】図３は、多目的収納箱を上下２段に重ねた貸出用多目的コインロッカーである。
【図４】図４は、多目的収納箱を上下に２段左右に３列並べた貸出用多目的コインロッカーである。
【考案を実施するための形態】
【００２９】
本考案の実施例を以下に示す。
【実施例】
【００３０】
図１は、貸出用多目的コインロッカー１の正面概略図である。多目的収納箱１１は、枠４にコイン投入口４１、コイン返却口４２、及びマスターキー用孔２、利用者用キー用孔３が付設され、正面には引出６、受入専用口７が設けられ、左の枠４には、回転可能にドア５が付けられている。図示しないが、マスターキーは、貸出者又はその依頼人（以下、貸出者等とする）が所持し、利用者キーは、利用者が所持することとなる。
【００３１】
利用者がコイン投入口４１から投入したコインは、集金箱８に集まる構造とし、貸出者等が集金箱用孔８１にて鍵を開けて集金する。貸出用多目的コインロッカーは、架台９に載せられている。また、ドア５の利用者名の名札入５２には、必要に応じ、利用者の氏名等を書いた用紙を入れるようにしている。
【００３２】
図２は、貸出用多目的コインロッカーのドアを開いたときの斜視概略図である。多目的収納箱１１内には、間仕切板置台１３が左右の内壁に付けられ、その上に間仕切板１２が載せられている。間仕切板１２が必要ない場合には、これを床面１４に置いておく。間仕切板置台１３は、多目的収納箱１１の内壁に平行に複数対固定し、多目的収納箱１１に入れる荷物の大きさにより、間仕切板の高さを変化させることもできる。
【００３３】
引出６は、多目的収納箱１１の左右内面に固定された引出用台６１に載せられ、通行人が自在に中のチラシ、カタログ、詩集等を取出せるようにしている。
【００３４】
受入専用口７は。図示しないバネの付勢により正面に向けられ、多目的収納箱１１内が風雨にさらされないようにしている。
【００３５】
図３は、多目的収納箱１１を上下２段に重ねた１列の貸出用多目的コインロッカー１である。多目的収納箱１１の大きさによっては、上下に３段に積み重ねることもできる。上下に積み重ねた多目的収納箱１１では、その最下段に集金箱８が付けられ、上下の多目的収納箱１１に投入されたコインが集金箱８に落下し収納される。
【００３６】
図４は、多目的収納箱１１を上下に２段左右に３列並べた貸出用多目的コインロッカー１である。上下に多目的収納箱１１を積み重ねた場合には、安定性が悪く、倒れる危険性もある。また敷地の有効利用も考えると、多目的収納箱１１を上下に重ねるだけでなく、左右に並べて設置することが望ましい。そこで、図４に示すように、多目的収納箱を上下に２段左右に３列並べた貸出用多目的コインロッカーを例示するものである。なお、多目的収納箱１１を上下に積み重ねる個数や左右に並べる個数を制限するものではない。
【産業上の利用可能性】
【００３７】
単なる荷物の保管場所としての使用だけではなく、利用者の用意したチラシやカタログの通行人への配布、あるいは、商品等の通行人への展示等、更にはその応答にも使用できる多目的のロッカーとして使用でき、需要が期待される。
【符号の説明】
【００３８】
１ 貸出用多目的コインロッカー    １１  多目的収納箱  
１２  間仕切板  １３  間仕切板置台    １４  床面
２  マスターキー用孔  
３  利用者キー用孔
４  枠  ４１  コイン投入口    ４２  コイン返却口
５  ドア  ５１ ドア取手  ５２  利用者名の名札入
６  引出  ６１ 引出用台
７  受入専用口
８  集金箱    ８１  集金箱キー孔  
９  架台
【図１】
0003199502.tif 000003
【図２】
0003199502.tif 000004
【図３】
0003199502.tif 000005
【図４】
0003199502.tif 000006